(57)【要約】      （修正有）【課題】  レベルの異なる様々な施工工程ごとに工程管理を行うことができ、施工日程、部材納品日、部材の種類等の修正を行うことができる部材納品日指定システムを提供する。【解決手段】建築物の施工を細分化した小工程の名称を蓄積した小工程データベースと、小工程から構成される大工程の名称を蓄積した大工程データベースと、建築物のＣＡＤデータが蓄積されたＣＡＤデータベースと、部材データを蓄積した部材データベースと、小工程の工程日数を蓄積した工程日数データベースと、大工程の名称を選択すると、選択した大工程を構成する小工程の名称を抽出する工程選択手段と、選択した大工程又は小工程の開始日、終了日の日程決定手段と、選択又は抽出された小工程で使用する部材とその数量を決定する部材決定手段と、決定した部材とその数量を納品するように指定する納品日指定手段と、を有することを特徴とする。【選択図】    図１
2005084978.tif 000002
【特許請求の範囲】
【請求項１】
建築物の施工を細分化した下位の施工工程の名称を蓄積した下位レベル工程データベースと、
該下位レベル工程データベースに格納された１つ以上の下位の施工工程から構成される上位の施工工程の名称を蓄積した上位レベル工程データベースと、
建築物のＣＡＤデータが蓄積されたＣＡＤデータベースと、
部材データを蓄積した部材データベースと、
前記下位の施工工程の工程日数を蓄積した工程日数データベースと、
前記上位レベル工程データベースに格納された上位の施工工程の名称及び前記下位の施工工程データベースに格納された下位の施工工程の名称を選択可能であり、前記上位の施工工程の名称を選択すると、この選択した上位の施工工程を構成する下位の施工工程の名称を前記下位の施工工程データベースから抽出する工程選択手段と、
選択した前記上位又は下位の施工工程の開始日、終了日を入力可能であり、前記上位の施工工程の開始日、終了日を入力すると、前記工程日数データベースに格納された前記下位の施工工程の工程日数の内、前記工程選択手段により抽出した前記下位の施工工程の名称に対応する前記下位の施工工程の工程日数を変更して、前記工程選択手段により抽出した下位の施工工程の施工日程を前記上位の施工工程の施工日程内に収まるように決定し、前記下位の施工工程の開始日、終了日を入力すると、前記工程選択手段で選択した下位の施工工程の施工日程を入力した開始日、終了日とする日程決定手段と、
前記ＣＡＤデータベースに格納された建築物のＣＡＤデータ、前記部材データベースに格納された部材データに基づいて、前記工程選択手段により抽出又は選択された下位の施工工程で使用する部材とその数量を決定する部材決定手段と、
前記工程選択手段により抽出又は選択した下位の施工工程について、前記日程決定手段により決定した施工日程にあわせて、前記部材決定手段により下位の施工工程別に決定した部材とその数量を納品するように指定する納品日指定手段と、を有することを特徴とする部材納品日指定システム。
【請求項２】
前記下位の施工工程と該下位の施工工程で使用されうる部材名とを関連づけた関係データを蓄積した対応データベースを有し、
前記部材決定手段は、前記ＣＡＤデータベースに格納された建築物のＣＡＤデータ、前記部材データベースに格納された部材データ、前記対応データベースに格納された関係データに基づいて、前記工程選択手段により抽出又は選択された下位の施工工程で使用する部材とその数量を決定することを特徴とする請求項１に記載の部材納品日指定システム。
【請求項３】
１つ以上の前記下位の施工工程から構成され、前記上位の施工工程を構成する中位の施工工程の名称を蓄積した中位レベル工程データベースを少なくとも１つ有し、
前記工程選択手段は、前記中位レベル工程データベースに格納された中位の施工工程の名称を選択すると、この選択した中位の施工工程を構成する下位の施工工程の名称を前記中位レベル工程データベースから抽出し、
前記日程決定手段は、前記上位又は中位の施工工程の開始日、終了日を入力すると、前記工程日数データベースに格納された前記下位の施工工程の工程日数の内、前記工程選択手段により抽出した前記下位の施工工程の名称に対応する前記下位の施工工程の工程日数を変更して、前記工程選択手段により抽出した下位の施工工程の施工日程を、施工工程の開始日、終了日を入力した前記上位又は中位の施工工程の施工日程内に収まるように決定し、前記下位の施工工程の開始日、終了日を入力すると、前記工程選択手段で選択した下位の施工工程の施工日程を入力した開始日、終了日とすることを特徴とする請求項１又は請求項２に記載の部材納品日指定システム。
【請求項４】
前記日程決定手段は、前記工程選択手段により抽出した前記下位の施工工程の名称に対応する工程日数のすべてを同じ割合で延長又は短縮して、工程日数を変更することを特徴とする請求項１乃至請求項３のいずれか１項に記載の部材納品日指定システム。
【請求項５】
前記工程日数データベースに格納された前記下位の施工工程の工程日数には、延長及び短縮が可能な工程日数と、延長及び短縮が不可能な工程日数の２種類の工程日数があり、
前記日程決定手段は、前記工程選択手段により選択又は抽出した前記下位の施工工程の名称に対応する工程日数のうち延長及び短縮が可能な工程日数のみを延長又は短縮して、工程日数を変更することを特徴とする請求項１乃至請求項３のいずれか１項に記載の部材納品日指定システム。
【請求項６】
前記日程決定手段は、前記工程選択手段により抽出した前記下位の施工工程の名称に対応する工程日数を予め登録したパターンに従って延長又は短縮して、工程日数を変更することを特徴とする請求項１乃至請求項３のいずれか１項に記載の部材納品日指定システム。 
【発明の詳細な説明】
【技術分野】
【０００１】
本発明は、住宅建設工事などにおいて、建設現場への部材納品日、更には納品時間を指定する部材納品日指定システムに関するものである。
【背景技術】
【０００２】
住宅の建築では、構造部材、外装・内装部材など膨大な種類の部材が必要となる。そして、住宅を短期間に効率よく建設するためには、これらの部材をタイミングよく建築現場へ納品しなければならない。そのため、従来は、現場の建築責任者が現場の進捗状況を的確に把握するとともに、建築中の建物にかかわる全ての部材を把握し、部材の納品日を指定していた。
【０００３】
しかし、建物の構造体となる木材、鉄骨から、外装のサッシ、庇、樋、屋根などや、内装設備のキッチン、バス、壁紙、照明にいたるまで、施主の好みによって選択可能な莫大な部材の品種と数量とを把握し、現場の進捗にあわせてその都度部材メーカーに納品指示することは非常に手間のかかる作業であった。
【０００４】
また、通常は現場の建築責任者は建築中の物件を何件も担当しており、部材の納品指示に間違いが発生し、同時に建設中の別邸の部材が誤って入ったり、数量を間違ったり、納品指示を忘れて現場の進行がストップすることもあった。
【０００５】
そこで、従来、施工工程の短縮を目的として工程表をコンピュータによりに合理的に自動生成できるようにし、ＣＡＤデータ、部材データから自動的に必要な部材を工程表に割り当てるものがある（例えば、特許文献１、特許文献２参照）。
【０００６】
【特許文献１】特開２００２−２４２４３２号公報（第４頁、第９図）
【特許文献２】特開２００２−２４５１２１号公報（第５頁、第１１図）
【発明の開示】
【発明が解決しようとする課題】
【０００７】
しかしながら、前述の従来例では、工期短縮を目的として建築物の施工工事の一連の作業工程を管理する工程表を作成するだけで、下位の施工工程や、下位の施工工程から構成される中位、上位の施工工程等、様々なレベルで工程を管理すること、及び部材納品日を指定することはできないという問題があった。
【０００８】
また、一度計画した工程で部材納品指示を部材メーカーに出したとしても、天候や現場の進捗の遅れによっては、再度、納品日の変更をその工程以降の全ての部材に対して修正指示しないといけない。このような場合に、前述の従来例では、建築物の施工工事の一連の施工工程を管理する工程表を作成するので、施工日程が遅れたり、早まったりした際に、施工日程、部材納品日、部材の種類等の修正ができないという問題があった。
【０００９】
そこで本発明は、レベルの異なる様々な施工工程ごとに工程管理を行うことができ、上位の施工日程内に収まるように下位の施工工程の工程日数を変更でき、適宜、施工日程、部材納品日、部材の種類等の修正を行うことができる部材納品日指定システムを提供することを目的する。
【課題を解決するための手段】
【００１０】
前記目的を達成するための本発明に係る部材納品日指定システムの第１の構成は、建築物の施工を細分化した下位の施工工程の名称を蓄積した下位レベル工程データベースと、該下位レベル工程データベースに格納された１つ以上の下位の施工工程から構成される上位の施工工程の名称を蓄積した上位レベル工程データベースと、建築物のＣＡＤデータが蓄積されたＣＡＤデータベースと、部材データを蓄積した部材データベースと、前記下位の施工工程の工程日数を蓄積した工程日数データベースと、前記上位レベル工程データベースに格納された上位の施工工程の名称及び前記下位の施工工程データベースに格納された下位の施工工程の名称を選択可能であり、前記上位の施工工程の名称を選択すると、この選択した上位の施工工程を構成する下位の施工工程の名称を前記下位の施工工程データベースから抽出する工程選択手段と、選択した前記上位又は下位の施工工程の開始日、終了日を入力可能であり、前記上位の施工工程の開始日、終了日を入力すると、前記工程日数データベースに格納された前記下位の施工工程の工程日数の内、前記工程選択手段により抽出した前記下位の施工工程の名称に対応する前記下位の施工工程の工程日数を変更して、前記工程選択手段により抽出した下位の施工工程の施工日程を前記上位の施工工程の施工日程内に収まるように決定し、前記下位の施工工程の開始日、終了日を入力すると、前記工程選択手段で選択した下位の施工工程の施工日程を入力した開始日、終了日とする日程決定手段と、前記ＣＡＤデータベースに格納された建築物のＣＡＤデータ、前記部材データベースに格納された部材データに基づいて、前記工程選択手段により抽出又は選択された下位の施工工程で使用する部材とその数量を決定する部材決定手段と、前記工程選択手段により抽出又は選択した下位の施工工程について、前記日程決定手段により決定した施工日程にあわせて、前記部材決定手段により下位の施工工程別に決定した部材とその数量を納品するように指定する納品日指定手段と、を有することを特徴とする。
【００１１】
また、本発明に係る部材納品日指定システムの第２の構成は、前記下位の施工工程と該下位の施工工程で使用されうる部材名とを関連づけた関係データを蓄積した対応データベースを有し、前記部材決定手段は、前記ＣＡＤデータベースに格納された建築物のＣＡＤデータ、前記部材データベースに格納された部材データ、前記対応データベースに格納された関係データに基づいて、前記工程選択手段により抽出又は選択された下位の施工工程で使用する部材とその数量を決定することを特徴とする。
【００１２】
また、本発明に係る部材納品日指定システムの第３の構成は、１つ以上の前記下位の施工工程から構成され、前記上位の施工工程を構成する中位の施工工程の名称を蓄積した中位レベル工程データベースを少なくとも１つ有し、前記工程選択手段は、前記中位レベル工程データベースに格納された中位の施工工程の名称を選択すると、この選択した中位の施工工程を構成する下位の施工工程の名称を前記中位レベル工程データベースから抽出し、前記日程決定手段は、前記上位又は中位の施工工程の開始日、終了日を入力すると、前記工程日数データベースに格納された前記下位の施工工程の工程日数の内、前記工程選択手段により抽出した前記下位の施工工程の名称に対応する前記下位の施工工程の工程日数を変更して、前記工程選択手段により抽出した下位の施工工程の施工日程を、施工工程の開始日、終了日を入力した前記上位又は中位の施工工程の施工日程内に収まるように決定し、前記下位の施工工程の開始日、終了日を入力すると、前記工程選択手段で選択した下位の施工工程の施工日程を入力した開始日、終了日とすることを特徴とする。
【００１３】
また、本発明に係る部材納品日指定システムの第４の構成は、前記日程決定手段は、前記工程選択手段により抽出した前記下位の施工工程の名称に対応する工程日数のすべてを同じ割合で延長又は短縮して、工程日数を変更することを特徴とする。
【００１４】
また、本発明に係る部材納品日指定システムの第５の構成は、前記工程日数データベースに格納された前記下位の施工工程の工程日数には、延長及び短縮が可能な工程日数と、延長及び短縮が不可能な工程日数の２種類の工程日数があり、前記日程決定手段は、前記工程選択手段により選択又は抽出した前記下位の施工工程の名称に対応する工程日数のうち延長及び短縮が可能な工程日数のみを延長又は短縮して、工程日数を変更することを特徴とする。
【００１５】
また、本発明に係る部材納品日指定システムの第６の構成は、前記日程決定手段は、前記工程選択手段により抽出した前記下位の施工工程の名称に対応する工程日数を予め登録したパターンに従って延長又は短縮して、工程日数を変更することを特徴とする。
【発明の効果】
【００１６】
本発明により、建築責任者は、工程管理をするだけで部材の納品指示が自動的にできるようになり、天候にも左右される複雑かつ膨大な部材の納品管理の手間がなくなり、納品間違いや指示忘れがなくなる。このため、建築責任者の管理能力に左右されることなく、安定した工程管理、部材納品日指定を行うことができる。
【００１７】
また、下位、中位、上位の施工工程等、レベルの異なる様々な施工工程で工程管理を行うことができ、現場の大きさや状況に柔軟に対応して部材納品日を指定することができる。
【００１８】
また、天候等により施工日程が遅れたり、早まったりした場合や、建築途中で部材の変更が必要になった場合等の状況に応じて、施工日程、部材納品日、部材の種類等の修正ができる。
【００１９】
また、本発明に係る部材納品日指定システムの第５の構成により、延長及び短縮が可能な工程日数のみを延長又は短縮して、工程日数を変更することにより、作成した施工日程と現実の施工日程との誤差を小さくすることができ、部材納品日の変更を少なくすることができる。
【００２０】
また、本発明に係る部材納品日指定システムの第６の構成により、全ての小工程を一律に短縮するのではなく、短縮しやすい小工程から短縮する等の工夫ができ、無理のない日程の短縮ができる。
【発明を実施するための最良の形態】
【００２１】
[第一実施形態]
本発明に係る部材納品日指定システムの第一実施形態について、図を用いて説明する。
【００２２】
本実施形態においては、日単位で説明するが、本発明では、更に細かい時間単位でシステム化しても良い。
【００２３】
（システム構成）
まず、部材納品日指定システムのシステム構成について説明する。図１は本実施形態に係る部材納品日指定システムのシステム構成を示すブロック図である。図１に示すように、部材納品日指定システム１は、ＣＡＤシステム10、コンピュータ12から構成されている。
【００２４】
ＣＡＤシステム10は、ＣＡＤ用コンピュータ14を備えるとともに、ＣＡＤ用コンピュータ14で作成した建物の設計図面の画像データであるＣＡＤデータや、建物の基本情報などが蓄積されたＣＡＤデータベース16を備えている。
【００２５】
コンピュータ12は、コンピュータ本体17、入力装置18、表示装置19、出力装置20、外部記憶装置21、通信装置22から構成されている。コンピュータ本体17は、記憶装置23、演算手段29を有している。入力装置18は文字、数字等を入力してコンピュータ本体17を操作するキーボード、マウス等であり、表示装置19はメニュー画面や、生成した工程表や部材納品表等を表示するためのモニタ、出力装置20は作成した工程表や部材納品表等を印刷するプリンタ、外部記憶装置21は生成した工程表や部材納品表等のデータを保存しておくためのFDD、MO、DVD等であり、通信装置22は生成した部材納品表等を発注先等に送信するためのFAX、メール等である。
【００２６】
記憶装置23には、工程管理に必要な各種データを蓄積しているデータベースが記憶されている。このデータベースには、下位レベル工程データベース（小工程データベース）24、上位レベル工程データベース（大工程データベース）25、中位レベル工程データベース（中工程データベース）26、部材データベース27、工程日数データベース28、対応データベース35がある。
【００２７】
小工程データベース24は、建築物の施工を細分化した下位の施工工程（小工程）の名称ＣＸ（図２参照）を蓄積している。大工程データベース25は、小工程データベース24に格納された小工程から構成される上位の施工工程（大工程）の名称ＡＸ（図２参照）を蓄積している。中工程データベース26は、小工程から構成され、大工程を構成する中位の施工工程（中工程）の名称ＢＸ（図２参照）を蓄積している。部材データベース27は部材データを蓄積し、工程日数データベース28は小工程の工程日数を蓄積し、対応データベース35は小工程と小工程で使用されうる部材名とを関連づけた関係データを蓄積している。
【００２８】
演算手段29は、工程表作成手段30、部材決定手段31、工程選択手段32、日程決定手段33、納品日指定手段34を有している。
【００２９】
工程表作成手段30は、各工程データベース24〜26、工程日数データベース28にアクセス可能であり、各工程データベース24〜26から建築物に必要な施工工程を抽出し、工程日数データベース28に格納された小工程の工程日数から工程表（図２参照）を作成する。
【００３０】
部材決定手段31は、ＣＡＤデータベース16に格納された建築物のＣＡＤデータ、部材データベース27に格納された部材データ、対応データベース35に格納された関係データに基づいて、小工程で使用する部材とその数量を決定する。
【００３１】
工程選択手段32は、工程表作成手段30により各工程データベース24〜26から抽出した施工工程の名称ＡＸ〜ＣＸのいずれかを選択可能である。工程選択手段32は、大工程データベース25又は中工程データベース26から抽出した大工程の名称ＡＸ又は中工程の名称ＢＸを選択した場合に、この選択した大工程を構成する小工程の名称ＣＸを小工程データベース24から抽出する。
【００３２】
日程決定手段33は、大工程データベース25、中工程データベース26、小工程データベース24のいずれかに格納された大工程、中工程、小工程の開始日、終了日を入力装置18により入力可能である。そして、大工程データベース25又は中工程データベース26に格納された大工程又は中工程の開始日、終了日を入力装置18により入力すると、工程日数データベース28に格納された小工程の工程日数を変更して、工程選択手段32で選択された小工程の施工日程を大工程又は中工程の施工日程内に収まるように決定する。
【００３３】
大工程または中工程で入力した開始日をもとに小工程の開始日、終了日も決定し、この日付は工程日数データベース28に格納される。これにより、変更された日付を含む施工工程（図２参照）を表示することが出来る。
【００３４】
納品日指定手段34は、工程選択手段32により抽出又は選択した小工程について、部材決定手段31により決定した部材とその数量を、日程決定手段33により決定した施工日程にあわせて納品するように指定する。
【００３５】
（システム動作）
次に、部材納品日指定システムの動作について説明する。図３は部材納品日指定システムのフローチャートである。図３に示すように、部材納品日指定システムの動作は、工程表作成段階、部材決定段階、納品日指定段階の３段階の動作をする。
【００３６】
工程表作成段階では、工程表作成手段30が各工程データベース24〜26にアクセスし、各工程データベース24〜26に格納された施工工程の名称ＡＸ〜ＣＸのうち、建築物の規模、種別により予め決められた必要な施工工程を抽出する（Ｓ１）。そして、工程日数データベース28にアクセスして、抽出された予め決められた標準工程の小工程の工程日数を取得する（Ｓ２）。これを表示装置19に表示する（Ｓ３）。
【００３７】
尚、表示装置19に表示された標準工程表は、入力装置18により工程の順番を変える等の修正が可能となっている。また、工程表の作成は、建築物の規模、種別等毎に予め作成されたいくつかの工程表から、工程表作成手段30が実際に建築する建物にあった工程表を選択することとしてもよい。
【００３８】
図２は住宅建築の施工工程を示す工程表である。工程表の一例として、図２に示すような工程表が、表示装置19に表示される。この工程表は、縦方向に各レベルの施工工程の対応を取りつつ、横方向を時間軸として各レベルごとに並べている。
【００３９】
住宅建築の施工には矢印で示す様々な施工工程があり、矢印の始点と終点は施工工程の開始日と終了日を示している。住宅建築の施工は、大工程、中工程、小工程の３つのレベルに分類されて表示されている。
【００４０】
大工程は、住宅建築の施工工程を内容ごとに大まかに分類したものであり、基礎工事Ａ１、躯体工事Ａ２、防水・金物工事Ａ３、外装工事Ａ４、木工事Ａ５に分類されている。中工程は、大工程の施工工程を内容ごとに細分化したものである。
【００４１】
中工程は、躯体工事Ａ２を細分化した躯体組立てＢ１、躯体周辺工事Ｂ２、防水・金物工事Ａ３を細分化した金物工事Ｂ３、屋根工事Ｂ４、シーリング工事Ｂ５、外装工事Ａ４を細分化した吹付工事Ｂ６、外装工事Ｂ７、軒天工事Ｂ８、床ＳＬ工事Ｂ９、木工事Ａ５を細分化した壁下地工事Ｂ10、壁ボード工事Ｂ11、建具工事Ｂ12、内装工事Ｂ13、住設備品工事Ｂ14に分類されている。
【００４２】
小工程は、大工程又は中工程の施工工程を内容ごとに細分化したものでる。小工程は、基礎工事Ａ１を細分化した地縄Ｃ１、配筋・型枠工事Ｃ２、スリーブ設置工事Ｃ３、基礎配筋検査Ｃ４、基礎コンクリート打設工事Ｃ５、水道外部配管工事Ｃ６、土間コンクリート打設工事Ｃ７や、壁下地工事Ｂ10を細分化した１Ｆ壁下地工事Ｃ30、２Ｆ壁下地工事Ｃ31、壁ボード工事Ｂ11を細分化した和室造作工事Ｃ32、２Ｆ壁ボード工事Ｃ33、２Ｆ床寄木工事Ｃ34、１Ｆ壁ボード工事Ｃ35、１Ｆ床寄木工事Ｃ36、建具工事Ｂ12を細分化した２Ｆ建具工事Ｃ37、１Ｆ建具工事Ｃ38、住設備品工事Ｂ14を細分化したキッチンセット工事Ｃ39、玄関収納工事Ｃ40、家具工事Ｃ41、電気・水道器具工事Ｃ42、ガス器具工事Ｃ43、内装工事Ｂ13を細分化したクロス工事Ｃ44、畳工事Ｃ45、その他（Ｃ８〜Ｃ30）に分類されている。
【００４３】
部材決定段階では、部材決定手段31が、ＣＡＤデータベース16、部材データベース27にアクセスし、ＣＡＤデータベース16に格納された建築物のＣＡＤデータ、部材データベース27に格納された部材データ、小工程と小工程で使用されうる部材名とを関連づけた対応データベース35の関係データに基づいて、部屋ごとの必要な部材とその数量を抽出し、小工程で使用する部材とその数量を決定する（Ｓ４）。
【００４４】
図４（ａ）は小工程とこの小工程で使用され得る部材名の対応データベース35である。一例として、小工程である壁下地工事には、木下地パネル、ジョイントベニア、下地補強板、壁下地取付け金具、壁下地取付けビス等の部材が使用され得ることを関連づけた表である。そして、図４（ｂ）は部材抽出結果であり、木下地パネルは、１Ｆの第一和室に品番ＭＰ２が１０枚、品番ＭＰ８が１５枚等、必要とされる。図４（ｃ）は工程別部材リストであり、工程選択手段32により抽出又は選択した小工程に必要な部材名、その部材が使用される部屋とその数量を示している。一例として、小工程である１Ｆ壁下地工事Ｃ30には、木下地パネル等が必要であり、木下地パネルは１Ｆの第一和室に品番ＭＰ２が１０枚、品番ＭＰ８が１５枚等、必要とされる。他の小工程も同様に、必要とされる部材、その部材の使用場所、品番、数量が決められる。
【００４５】
小工程で使用する部材とその数量を決定方法の具体例として、まず部材決定手段31が、ＣＡＤデータベース16に格納された建築物のＣＡＤデータ、部材データベース27に格納された部材データに基づいて、部屋ごとの必要な部材とその数量を抽出して図４（ｂ）の部材抽出結果を作成する。そして、この図４（ｂ）の部材抽出結果の部材名と図４（ａ）の対応データベース35の部材名とを関連付けして、小工程、その小工程に必要な部材名、その部材が使用される部屋とその数量を決定し、これらをリストアップした図４（ｃ）に示す工程別部材リストが作成される。
【００４６】
なお、図４（ａ）に示した対応データベース35は、独立したデータベースでなくても、部材データベース27や、小工程データベース24に小工程で使用され得る部材名を小工程に関連づけて予め入力しておいてもよい。この場合、工程選択手段32で決定された工程表に対応づけられた部材名のうち、部材決定手段31で決定された図４（ｂ）に示すものだけが選ばれる。
【００４７】
次に、工程表作成手段30により抽出された施工工程の名称ＡＸ〜ＣＸのいずれかを工程選択手段32で選択する（Ｓ５）。選択方法には、マウスにより表示装置19に表示された図２の工程表の施工工程の名称ＡＸ〜ＣＸのいずれかをクリックして選択する方法や、キーボードにより施工工程の名称ＡＸ〜ＣＸのいずれかを入力する方法等がある。
【００４８】
そして、工程選択手段32で選択した施工工程の開始日、終了日を入力装置18により入力する（Ｓ６）。開始日、終了日の入力方法には、モニタ画面に表示された図２の工程表の施工工程を表す矢印の支点、終点をマウスにより変更する方法や、キーボードで開始日、終了日を入力する方法等がある。
【００４９】
ここで、工程選択手段32で大工程又は中工程の名称を選択し、大工程又は中工程の開始日、終了日を入力した場合には（Ｓ７）、工程選択手段32が選択された大工程又は中工程を構成する小工程を抽出し、日程決定手段33が工程日数データベース28にアクセスして、抽出された小工程の工程日数を変更して、小工程の施工日程を工程選択手段32で選択された大工程又は中工程の施工日程内に収まるように決定する（Ｓ８）。一方、工程選択手段32で小工程の名称を選択し、小工程の開始日、終了日を入力した場合には（Ｓ７）、日程決定手段33が工程日数データベース28にアクセスして、選択した小工程の工程日数を変更して小工程の施工日程を入力した日程とする（Ｓ９）。
【００５０】
小工程の工程日数の変更は、工程選択手段32により抽出した小工程の工程日数のすべてを同じ割合（大工程又は中工程の工程日数の延長又は短縮と同じ割合）で延長又は短縮して行う。
【００５１】
図５は小工程の工程日数の変更方法を示す図である。小工程の工程日数の変更の一例として、図５に示すように、建築責任者が、通常３５日かかる木工事Ａ５を選択し、その施工日数が２８日となるように、開始日、終了日を入力した場合に、木工事Ａ５を構成する壁下地工事Ｂ10〜住設備品工事Ｂ14のそれぞれの工程日数、１Ｆ壁下地工事Ｃ30〜ガス器具工事Ｃ43のそれぞれの工程日数が、木工事Ａ５の工程日数の短縮と同じ比率（28：35）で短縮する。そして、この工程日数の変更が図２に示す工程表に反映され、木工事Ａ５の工程工程日数（２８日）を確定した工程表が作成される。
【００５２】
続いて、納品日指定手段34が、工程選択手段32により抽出又は選択した小工程について、日程決定手段33により決定した施工日程と、部材決定手段31により決定した部材とその数量を、部材納品表として表示装置19に表示することにより、部材納品日が指定される（Ｓ１０）。ここで、部材納品表を修正するには、工程表の作成（Ｓ３）、部材の決定（Ｓ４）、施工工程の選択（Ｓ５）、施工工程の開始日、終了日の入力（Ｓ６）のいずれかからやり直し、部材納品表を修正する（Ｓ１１）。
【００５３】
そして、この部材納品表に基づいて、納品日指定手段34が部材ごとに予め登録された部材メーカーに部材の種類、数量、納品日等をFAX、メールすることにより部材の納品指示が行われる（Ｓ１２）。尚、納品指示は、通信装置22でFAX、メールするほか、出力装置20で印刷された書類や、外部記憶装置21で保存したFDD、MO、DVD等を部材メーカーに送ることにより行っても良い。
【００５４】
図６は小工程の部材納品表である。部材納品表の一例として、図６に示すような部材納品表が、表示装置19に表示される。この部材納品表は、図４（ａ）の対応データベース35と図４（ｂ）の部材抽出結果から作成された図４（ｃ）の工程別部材リストと、図２の施工日程から作成される。図６では、小工程の１Ｆ壁下地工事Ｃ30に必要な木下地パネル（品番ＭＰ２：１０枚、品番ＭＰ８：１５枚、・・・）、ジョイントベニア（品番ＪＢ１：３枚、品番ＪＢ４：１枚、・・・）等の部材を、その施工開始日となる７月１８日の午前８：００に納品するよう決定している。同様にして、２Ｆ壁下地工事Ｃ31〜畳工事Ｃ45に必要な部材をＳ７で決定したそれぞれの施工開始日に納品するように決定し、Ｓ５で選択した大工程（木工事Ａ５）がＳ６でその開始日、終了日を入力して定めた日程内（２８日）で終わるように納品日が決定されている。
【００５５】
尚、図６の部材納品表に基づいて、納品日指定手段34が部材ごとに予め登録された部材メーカーを参照して、部材メーカーごとに発注部材を分類した図７に示すような部材納品表を作成してもよい。これにより、部材の発注先が明確となり、発注先を間違えることを防止することができる。
【００５６】
尚、本実施形態において、工程選択手段32は、工程表作成手段30により抽出した施工工程の名称ＡＸ〜ＣＸのいずれかを選択可能としたが、各工程データベース24〜26にアクセスして建築物の施工に必要な施工工程を抽出し、抽出した施工工程の名称ＡＸ〜ＣＸのいずれかを選択可能としてもよい。
【００５７】
この場合の具体的な選択方法には、抽出した施工工程の名称ＡＸ〜ＣＸを大工程、中工程、小工程ごとにリストアップ方式やプルダウン方式等で表示し、表示された施工工程の名称ＡＸ〜ＣＸのいずれかをクリックして選択する方法や、キーボードにより施工工程の名称ＡＸ〜ＣＸのいずれかを入力する方法等がある。
【００５８】
また、本実施形態では、大工程、中工程、小工程の３段階のレベルに建築物の施工工程をレベル分けしたが、図２の基礎工事Ａ１のように、大工程、小工程の２段階であってもよいし、中工程を増やして４段階、５段階とレベル分けしてもよい。さらに、建築物の施工工程そのものを選択し、施工日程を入力できるようにしてもよい。
【００５９】
以上説明したように、建築責任者は、自動作成された工程表の大工程、中工程、小工程のいずれかの工程を選択し、その開始日、終了日を入力するだけで、小工程に必要な部材の種類、数量、納品日を自動的に決定することができる。これにより、住宅建築に必要な膨大な種類と数の部材の建築現場への納品指示を簡単に自動的にできるようになり、天候にも左右される複雑な部材の納品管理の手間がなくなり、納品間違いや指示忘れを防止することができる。
【００６０】
また、大工程、中工程、小工程と、レベルの異なる施工工程で工程管理を行うことができる。そして、工程管理を行うレベルとして選択した大工程、中工程、小工程の施工日程内に収まるように、小工程の工程日数を自動的に変更して小工程を延長、短縮することができる。これにより、建築物が大規模の場合には、大工程や中工程を選択して大まかに工程管理したり、建築責任者の経験や能力によっては、小工程を選択して現場の進捗状況に合わせて細かく工程管理することができ、現場の大きさや状況に柔軟に対応して部材納品日を指定することができる。
【００６１】
また、まだ工事が行われておらず、部材の納品変更が可能な工程を選択して、その施工日程を入力したり、ＣＡＤデータを変更することができる。従って、天候等により施工日程が遅れたり、早まったりした場合や、建築途中で部材の変更が必要になった場合等の状況に応じて、新たに日程の計算をすることなく、自動的に施工日程、部材納品日、部材の種類等の修正ができる。
【００６２】
また、延長及び短縮が可能な工程日数のみを延長又は短縮して、工程日数を変更することにより、作成した施工日程と現実の施工日程との誤差を小さくすることができ、部材納品日の変更を少なくすることができる。
【００６３】
[第二実施形態]
次に本発明に係る部材納品日指定システムの第二実施形態について図を用いて説明する。上記第一実施形態と説明の重複する部分については、同一の符号を付して説明を省略する。
【００６４】
本実施形態における部材納品日指定システムは、上記第一実施形態にかかる部材納品日指定システムの小工程の工程日数の変更方法を、延長、短縮可能な小工程の工程日数だけを延長、短縮して、工程日数を変更する方法としたものである。
【００６５】
工程日数データベース28に格納された小工程の工程日数は、延長及び短縮が可能な工程日数と、延長及び短縮が不可能な（延長及び短縮しない固定された）工程日数の２種類の工程日数から構成されている。
【００６６】
延長及び短縮が可能な工程日数には、例えば、その小工程を行う職人の数を減らしたり、増やしたりすることによって工程日数を延長、短縮することができる小工程の工程日数がある。また、短縮可能な工程日数には、短縮する限度として最小工程日数が設けられている。また、延長及び短縮しない固定された工程日数には、例えば、乾燥に必要最低限の日数がかかる塗装等の小工程の工程日数がある。
【００６７】
次に、部材納品日指定システムの動作について説明する。図８は本実施形態における部材納品日指定システムのフローチャートである。図８に示すように、本実施形態における部材納品日指定システムの動作は、納品日指定段階において、上記第一実施形態の小工程の施工日程の決定（Ｓ８、Ｓ９）と部材納品日の決定（Ｓ１０）の間に、入力した施工日程内に小工程の日程が収まるか否かの判断（Ｓ２１）と、収まらないと判断した場合の入力した施工日程の修正（Ｓ２２）の動作を加えたものである。
【００６８】
すなわち、工程選択手段32で大工程又は中工程の名称を選択し、大工程又は中工程の開始日、終了日を入力した場合には（Ｓ７）、日程決定手段33が工程日数データベース28にアクセスして、選択された大工程又は中工程を構成する小工程の工程日数のうち、延長、短縮可能な小工程の工程日数を変更して、小工程の施工日程を工程選択手段32で選択された大工程又は中工程の施工日程内に収まるように決定する（Ｓ８）。一方、工程選択手段32で小工程の名称を選択し、小工程の開始日、終了日を入力した場合には（Ｓ７）、日程決定手段33が工程日数データベース28にアクセスして、小工程の工程日数を変更して小工程の施工日程を入力した日程とする（Ｓ９）。
【００６９】
この際、Ｓ８で、工程選択手段32で抽出された小工程のうち、延長、短縮可能な小工程の工程日数の全てを最小工程日数としても、小工程の日程が入力した大工程又は中工程の施工日程内に収まらない場合には、工程の開始日、終了日を修正するよう要求する（Ｓ２１）。一方、Ｓ５で、延長及び短縮が不可能な小工程の名称のいずれかを工程選択手段32で選択していた場合であって、Ｓ９で入力した日程が延長及び短縮が不可能な小工程の工程日数にならない場合、工程の開始日、終了日を修正するよう要求する（Ｓ２１）。
【００７０】
そして、選択した工程の開始日、終了日を修正した場合には（Ｓ２２）、修正した施工日程に基づき、上述のごとく小工程の施工日程を決定する（Ｓ８又はＳ９）。
【００７１】
一方、延長、短縮可能な小工程の工程日数を変更して、小工程の施工日程が入力した施工日程内に収まる場合には（Ｓ２１）、その変更した工程日数で小工程の施工日程を決定する。
【００７２】
上述のごとく、延長及び短縮が可能な工程日数のみを延長又は短縮して、工程日数を変更することにより、作成した施工日程と現実の施工日程との誤差を小さくすることができ、部材納品日の変更を少なくすることができる。
【００７３】
[第三実施形態]
次に本発明に係る部材納品日指定システムの第三実施形態について図を用いて説明する。上記第一実施形態と説明の重複する部分については、同一の符号を付して説明を省略する。
【００７４】
本実施形態における部材納品日指定システムは、上記第一実施形態にかかる部材納品日指定システムの小工程の工程日数の変更方法を、予め登録したパターンで変更することとしたものである。
【００７５】
図９は小工程の工程日数の変更パターンを示す図である。図９に示すように、通常３５日かかる木工事Ａ５を３０日で行う場合には、クロス工事Ｃ44と畳工事Ｃ45の間の３日を省略し、２Ｆ建具工事Ｃ37と１Ｆ建具工事Ｃ38を３日から２日に短縮する。また、木工事Ａ５を２９日で行う場合には、クロス工事Ｃ44を３日から２日に短縮する。同様に、木工事Ａ５を２８日、２７日・・・と短縮するための小工程の工程日数の変更パターンが工程日数データベース28に予め登録されている。
【００７６】
そして、図３のＳ６、Ｓ７で、建築責任者が、通常３５日かかる木工事Ａ５を選択し、その施工日数が２８日となるように、開始日、終了日を入力した場合には、日程決定手段33が工程日数データベース28にアクセスして、木工事Ａ５が２８日で終わるパターンを選択して小工程の施工日程を決定する。
【００７７】
このように、予め登録した小工程の工程日数の変更パターンを用いて、小工程の工程日数を変更することにより、全ての小工程を一律に短縮するのではなく、短縮しやすい小工程から短縮する等の工夫ができ、無理のない日程の短縮ができる。
【産業上の利用可能性】
【００７８】
本発明の活用例として、住宅建設工事などにおいて、建設現場への部材納品日、更には納品時間を指定する部材納品日指定システムに適用可能である。
【図面の簡単な説明】
【００７９】
【図１】第一実施形態に係る部材納品日指定システムのシステム構成を示すブロック図である。
【図２】住宅建築の施工工程を示す工程表である。
【図３】部材納品日指定システムのフローチャートである。
【図４】（ａ）対応データベース、（ｂ）部材抽出結果、（ｃ）工程別部材リストを示す図である。
【図５】小工程の工程日数の変更方法を示す図である。
【図６】小工程の部材納品表である。
【図７】小工程の部材納品表である。
【図８】第二実施形態にかかる部材納品日指定システムのフローチャートである。
【図９】第三実施形態にかかる小工程の工程日数の変更パターンを示す図である。
【符号の説明】
【００８０】
ＡＸ  …大工程の名称（上位の施工工程の名称）
ＢＸ  …中工程の名称（中位の施工工程の名称）
ＣＸ  …小工程の名称（下位の施工工程の名称）
１    …部材納品日指定システム
10    …ＣＡＤシステム
12    …コンピュータ
14    …ＣＡＤ用コンピュータ
16    …ＣＡＤデータベース
17    …コンピュータ本体
18    …入力装置
19    …表示装置
20    …出力装置
21    …外部記憶装置
22    …通信装置
23    …記憶装置
24    …小工程データベース（下位レベル工程データベース）
25    …大工程データベース（上位レベル工程データベース）
26    …中工程データベース（中位レベル工程データベース）
27    …部材データベース
28    …工程日数データベース
29    …演算手段
30    …工程表作成手段
31    …部材決定手段
32    …工程選択手段
33    …日程決定手段
34    …納品日指定手段
【図１】
2005084978.tif 000003
【図２】
2005084978.tif 000004
【図３】
2005084978.tif 000005
【図４】
2005084978.tif 000006
【図５】
2005084978.tif 000007
【図６】
2005084978.tif 000008
【図７】
2005084978.tif 000009
【図８】
2005084978.tif 000010
【図９】
2005084978.tif 000011